(57)【要約】【課題】本発明は、身体の様々な動きにもフィットすることで排泄液の漏れを防ぐことができる吸収性物品であって、吸収体の剛性による違和感が解消された吸収性物品を提供することを課題とする。【解決手段】本発明は、着用者の腹部に接する前身頃と、着用者の背部に接する後身頃と、前身頃と後身頃の間に位置する股下部とに、長手方向に区分され、前身頃から後身頃にかけて配置された吸収体と、前身頃と後身頃の両方又はいずれか一方の長手方向端部領域に設けられた、幅方向に延びる複数の伸縮部材と、を有する吸収性物品であって、吸収体は、溝部を有し、溝部の一部は吸収体の長手方向端部領域に存在し、伸縮部材の少なくとも１つはその一部が、吸収体の肌非接触面側から吸収体の長手方向端部領域の少なくとも一方に重畳し、吸収体の長手方向端部領域に重畳している伸縮部材は、吸収体の長手方向端部領域に存在する溝部の少なくとも一部を横断している吸収性物品に関する。【選択図】図１
2018082927.tif 000002
【特許請求の範囲】
【請求項１】
着用者の腹部に接する前身頃と、着用者の背部に接する後身頃と、前記前身頃と前記後身頃の間に位置する股下部とに、長手方向に区分され、
前記前身頃から前記後身頃にかけて配置された吸収体と、
前記前身頃と前記後身頃の両方又はいずれか一方の長手方向端部領域に設けられた、幅方向に延びる複数の伸縮部材と、を有する吸収性物品であって、
前記吸収体は溝部を有し、
前記溝部の一部は前記吸収体の長手方向端部領域に存在し、
前記伸縮部材の少なくとも１つはその一部が、前記吸収体の肌非接触面側から前記吸収体の長手方向端部領域の少なくとも一方に重畳し、
前記吸収体の長手方向端部領域に重畳している伸縮部材は、前記吸収体の長手方向端部領域に存在する溝部の少なくとも一部を横断している吸収性物品。
【請求項２】
前記溝部は、間欠的または連続的に前記吸収体の長手方向に延びている請求項１に記載の吸収性物品。
【請求項３】
前記溝部の面積は、前記吸収体の面積に対して５〜５０％である請求項１又は２に記載の吸収性物品。
【請求項４】
前記吸収体の長手方向端部領域の両方又はいずれか一方は、前記吸収体の背腹最大幅よりも幅の狭い幅狭領域を有する請求項１〜３のいずれか１項に記載の吸収性物品。
【請求項５】
幅狭領域の最小幅は、前記吸収体の背腹最大幅に対して５０〜９０％である請求項４に記載の吸収性物品。
【請求項６】
前記吸収体の長手方向端部領域に重畳している伸縮部材は、前記吸収体の長手方向端縁から長手方向内側に向かって５〜１０ｍｍまでの領域に重畳している請求項１〜５のいずれか１項に記載の吸収性物品。
【請求項７】
前記吸収体の長手方向端部領域の両方又はいずれか一方の平均厚みは、前記吸収体の中央領域の平均厚みよりも薄くなっている請求項１〜６のいずれか１項に記載の吸収性物品。
【請求項８】
前記前身頃又は前記後身頃の長手方向端部領域重畳部材の幅方向の引張強度（Ｎ／ｃｍ）をＦｅとし、前記長手方向端部領域重畳部材よりも長手方向端部側に配されている伸縮領域構成部材の幅方向の引張強度（Ｎ／ｃｍ）をＦｗとした場合、Ｆｗ＞Ｆｅである請求項１〜７のいずれか１項に記載の吸収性物品。
【発明の詳細な説明】
【技術分野】
【０００１】
本発明は、吸収性物品に関する。
【背景技術】
【０００２】
生理用ナプキンや使い捨ておむつといった吸収性物品は、尿などの排泄液を吸収体によって吸収する。例えば、使い捨ておむつは、着用者の腹部、背部及び股部分を覆うものであるため、体型や身体の様々な動きに影響を受けるものであり、特に、吸収体は、身体の動きによって影響を受けやすい部材である。このため、着用者の動き方によっては、吸収体にヨレや折れが発生する場合がある。このような場合、吸収体のフィット性が低下し、排泄液の漏れが生じやすくなる。
【０００３】
吸収体は、吸収性物品を構成する部材の中でも剛性が強い部材である。このため、生理用ナプキンや使い捨ておむつといった吸収性物品を着用した際には、着用者が吸収体の剛性による違和感を感じる場合がある。また、吸収体は排泄液を吸収することにより膨潤するため、膨潤した吸収体が着用者の違和感を増長させる場合もある。
【０００４】
このような課題を解決するために、吸収体の厚みを調整したり、吸収性物品を構成する弾性部材の配置を改良することなどが検討されている。例えば、特許文献１には、吸収体の長手方向の端部に薄肉部分を設けた使い捨ておむつであって、胴回り弾性部材の少なくとも１本が吸収体の薄肉部分の幅方向を横断するようにして配された使い捨ておむつが開示されている。特許文献１では、吸収体の厚みや吸収体近傍の構成部材の配置を工夫することで、吸収体のフィット性を高め、着用時の違和感を解消することが検討されている。
【０００５】
また、特許文献２には、前ウエスト域が、吸収体の端部を横断する第１伸縮域と、第１伸縮域に隣接し、長手方向の下方に位置する第２伸縮域と、さらにその下方に位置する第３伸縮域とを有する使い捨ておむつであって、各伸縮域の伸長応力の相関関係が第２伸縮域≧第１伸縮域＞第３伸縮域であり、吸収体の剛性値が０．０３〜０．１５Ｎ・ｃｍである使い捨ておむつが開示されている。特許文献２では、使い捨ておむつのフィット性を高め、吸収体のズレを抑制することで排泄液の漏れを防ぐことを課題としている。
【先行技術文献】
【特許文献】
【０００６】
【特許文献１】特開２０１６−３４３４１号公報
【特許文献２】特開２００９−２４０６９５号公報
【発明の概要】
【発明が解決しようとする課題】
【０００７】
上述したように、吸収体のフィット性を高め、着用時の違和感を解消するために種々の検討がなされている。例えば、従来技術においては、吸収体端部を幅方向に延びる伸縮部材で押さえることによって、吸収体端部のフィット性を高め、排泄液の漏れを防ぐことが検討されている。しかしながら、吸収体端部を幅方向に延びる伸縮部材で押さえた場合、伸縮部材の伸縮性により吸収体に皺が発生することがあり、このような場合、吸収体と肌との間に生じた隙間から排泄液の漏れが生じることがあった。すなわち、吸収体端部を幅方向に延びる伸縮部材で押さえた従来の吸収性物品においては、吸収体のフィット性が不十分であり、また、皺の発生に起因する違和感（ゴワゴワ感）や、吸収体の剛性に起因する違和感があり、着用感が悪化する傾向にあった。
【０００８】
そこで本発明者らは、このような従来技術の課題を解決するために、高いフィット性を発揮する吸収体を有し、排泄液の漏れを防ぐことができる吸収性物品を提供することを目的として検討を進めた。さらに本発明者らは、吸収体の皺の発生に起因する違和感や、吸収体の剛性に起因する違和感が低減された吸収性物品を提供することも目的として検討を進めた。
【課題を解決するための手段】
【０００９】
上記の課題を解決するために鋭意検討を行った結果、本発明者らは、吸収体に溝部を設け、伸縮部材を吸収体の長手方向端部領域に存在する溝部の少なくとも一部を横断するように重畳させることにより、吸収体のフィット性を高め、かつ吸収体の変形や剛性に起因する違和感を解消し得ることを見出した。
具体的に、本発明は、以下の構成を有する。
【００１０】
［１］  着用者の腹部に接する前身頃と、着用者の背部に接する後身頃と、前身頃と後身頃の間に位置する股下部とに、長手方向に区分され、
前身頃から後身頃にかけて配置された吸収体と、
前身頃と後身頃の両方又はいずれか一方の長手方向端部領域に設けられた、幅方向に延びる複数の伸縮部材と、を有する吸収性物品であって、
吸収体は溝部を有し、
溝部の一部は吸収体の長手方向端部領域に存在し、
伸縮部材の少なくとも１つはその一部が、吸収体の肌非接触面側から吸収体の長手方向端部領域の少なくとも一方に重畳し、
吸収体の長手方向端部領域に重畳している伸縮部材は、吸収体の長手方向端部領域に存在する溝部の少なくとも一部を横断している吸収性物品。
［２］  溝部は、間欠的または連続的に吸収体の長手方向に延びている［１］に記載の吸収性物品。
［３］  溝部の面積は、吸収体の面積に対して５〜５０％である［１］又は［２］に記載の吸収性物品。
［４］  吸収体の長手方向端部領域の両方又はいずれか一方は、吸収体の背腹最大幅よりも幅の狭い幅狭領域を有する［１］〜［３］のいずれかに記載の吸収性物品。
［５］  幅狭領域の最小幅は、吸収体の背腹最大幅に対して５０〜９０％である［４］に記載の吸収性物品。
［６］  吸収体の長手方向端部領域に重畳している伸縮部材は、吸収体の長手方向端縁から長手方向内側に向かって５〜１０ｍｍまでの領域に重畳している［１］〜［５］のいずれかに記載の吸収性物品。
［７］  吸収体の長手方向端部領域の両方又はいずれか一方の平均厚みは、吸収体の中央領域の平均厚みよりも薄くなっている［１］〜［６］のいずれかに記載の吸収性物品。
［８］  前身頃又は後身頃の長手方向端部領域重畳部材の幅方向の引張強度（Ｎ／ｃｍ）をＦｅとし、長手方向端部領域重畳部材よりも長手方向端部側に配されている伸縮領域構成部材の幅方向の引張強度（Ｎ／ｃｍ）をＦｗとした場合、Ｆｗ＞Ｆｅである［１］〜［７］のいずれかに記載の吸収性物品。
【発明の効果】
【００１１】
本発明によれば、吸収体のフィット性が高く、かつ吸収体の変形や剛性に起因する違和感が解消された吸収性物品を得ることができる。
【図面の簡単な説明】
【００１２】
【図１】図１は、本発明の一実施形態に係る使い捨ておむつの外観斜視図である。
【図２】図２は、本発明の一実施形態に係る使い捨ておむつの展開平面図である。
【図３】図３は、本発明の一実施形態に係る使い捨ておむつの展開平面図である。
【図４】図４は、図２で示したＹ−Ｙ線における断面図である。
【図５】図５は、図２で示したＹ−Ｙ線における断面図の一部拡大図であって、溝部の構造を説明する拡大図である。
【図６】図６は、吸収体に構成された溝部を説明する平面図である。
【図７】図７は、吸収体の溝部の拡大図である。
【図８】図８は、吸収体の他の構成を説明する平面図である。
【図９】図９は、吸収体の他の構成を説明する平面図である。
【図１０】図１０は、吸収体の他の構成を説明する平面図である。
【図１１】図１１は、吸収体の他の構成を説明する平面図である。
【発明を実施するための形態】
【００１３】
以下において、本発明について詳細に説明する。以下に記載する構成要件の説明は、代表的な実施形態や具体例に基づいてなされることがあるが、本発明はそのような実施形態に限定されるものではない。
【００１４】
なお、本明細書において、「前身頃」とは、着用者におむつを装着した際に、着用者の腹側（身体前方）を覆う部分を意味する。「股下部」とは、着用者におむつを装着した際に、着用者の股下を覆う部分を意味する。「後身頃」とは、着用者におむつを装着した際に、着用者の背側（身体後方）を覆う部分を意味する。
また、本明細書において、「長手方向」とは、基本的に、使い捨ておむつの前身頃と後身頃を結ぶ方向（Ｙ方向）を意味する。「幅方向」とは、基本的に、使い捨ておむつの長手方向に直交する方向（Ｘ方向）を意味する。また、本明細書において、「Ａ〜Ｂ」とは、「Ａ以上Ｂ以下」であることを意味する。
【００１５】
（吸収性物品）
本発明は、着用者の腹部に接する前身頃と、着用者の背部に接する後身頃と、前身頃と後身頃の間に位置する股下部を有する吸収性物品に関する。前身頃と、後身頃と、前身頃と後身頃の間に位置する股下部とは、長手方向に区分されている。本発明の吸収性物品は、前身頃から後身頃にかけて配置された吸収体と、前身頃と後身頃の両方又はいずれか一方の長手方向端部領域に設けられた、幅方向に延びる複数の伸縮部材を有する。ここで、吸収体は溝部を有し、溝部の一部は吸収体の長手方向端部領域に存在する。そして、伸縮部材の少なくとも１つはその一部が、吸収体の肌非接触面側から吸収体の長手方向端部領域の少なくとも一方に重畳しており、この伸縮部材は、吸収体の長手方向端部領域に存在する溝部の少なくとも一部を横断している。
【００１６】
ここで、長手方向端部領域とは、長手方向（Ｙ方向）の端部に存在する領域であり、このような端部領域は幅方向（Ｘ方向）に沿って設けられている。吸収体の長手方向端部領域は、吸収体の長手方向の端縁から、長手方向内側に向かって吸収体全長の１５％の距離までの領域をいう。すなわち、吸収体全長をＬｍｍとした場合、吸収体の長手方向端部領域の長手方向長さは０．１５×Ｌｍｍであり、このような領域が吸収体の両端部に設けられている。このため、吸収体における長手方向端部領域以外の領域を中央領域とした場合、中央領域の長手方向長さは０．７×Ｌｍｍとなる。
【００１７】
本発明の吸収性物品においては、吸収体に溝部を設け、伸縮部材を吸収体の長手方向端部領域に存在する溝部の少なくとも一部を横断するように重畳させることにより、吸収体のフィット性を高めることができる。特に、吸収体の端部のフィット性を高めることができる。本発明においては、吸収体が長手方向端部領域にも溝部を有しているため、吸収体端部を伸縮部材で押さえた場合であっても吸収体に皺やヨレが発生することが抑制される。吸収体に皺やヨレが発生すると、肌と吸収体の間に隙間が生じるため、その隙間から排泄液が漏れ出す場合があるが、本発明においては、皺やヨレの発生が抑制され、吸収体端部が着用者の肌に隙間なく接触するため、排泄液の漏れをより効果的に抑制することができる。なお、本発明においては、吸収体のフィット性は、肌と吸収体の間に隙間が生じにくいことや、吸収体が着用者の身体の動きに追従しやすいことで評価できる。
【００１８】
また、本発明の吸収性物品においては、吸収体の皺の発生が抑制されているため、吸収体の皺の発生に起因する違和感が低減されている。すなわち、吸収体に皺がよることによって感じられるゴワゴワ感（こわばり感や固さ）といった不快感が除かれる。そして、吸収体に溝部を設けることにより、吸収体自体の剛性に起因する違和感を低減することもできる。
【００１９】
吸収体に溝部を設けることで、吸収体（吸収部本体）と肌の接触面積を少なくすることができるため、べたつき感やそれに伴う違和感を解消することができる。また、吸収体に溝部を設けることで、吸収体の剛性を緩和することができるため、着用時の違和感を軽減することができる。一方で、溝部は排泄液の流路となり得るため、排泄液の漏れが発生し易い傾向がある。本発明においては、溝部の少なくとも一部を横断するように伸縮部材を重畳させることにより、溝部を設けた場合であっても排泄液の漏れを抑制することができる。
【００２０】
本発明の吸収性物品は、その形態が特に制限されるものではないが、吸収性物品としては、例えば、使い捨ておむつや生理用ナプキン等を挙げることができる。使い捨ておむつは、パンツ型の使い捨ておむつとテープ型の使い捨ておむつに大別される。パンツ型の使い捨ておむつは、前身頃と後身頃の両側部が予め接合された構成の使い捨ておむつである。パンツ型の使い捨ておむつは、それぞれ別体として形成された前身頃外装体と後身頃外装体の間を、吸収部本体が架橋する構成を有する架橋タイプのものであってもよい。また、パンツ型の使い捨ておむつは、前身頃から股下部を通って後身頃に掛けて一体的に形成された外装体に、股下部を中心として吸収部本体を固定した一体タイプのものであってもよい。テープ型の使い捨ておむつは、前身頃又は後身頃の両側部に接合テープが取り付けられているもので、着用時に接合テープを利用して前身頃と後身頃を接合させるタイプの使い捨ておむつである。
以下では、これらの種々のタイプの吸収性物品のうち、パンツ型使い捨ておむつを例に挙げて、本発明の内容を具体的に説明する。
【００２１】
（パンツ型使い捨ておむつの構造）
図１は、吸収性物品１００（以下、使い捨ておむつともいう）を前身頃側から見た例を示す斜視図である。また、図２及び図３は、使い捨ておむつの例を示す展開図である。図２は使い捨ておむつを肌接触面側から見た状態を示しており、図３は使い捨ておむつを肌非接触面側から見た状態を示している。
【００２２】
図１〜図３に示されるように、使い捨ておむつは、装着された際に着用者の腹部に接する前身頃１と、着用者の背部に接する後身頃２と、着用者の股下にあてがわれる股下部３とを有する。本実施形態において、使い捨ておむつは、前身頃外装体１０によって前身頃１が構成され、後身頃外装体２０によって後身頃２が構成される。そして、前身頃外装体１０と後身頃外装体２０の間の股下部３には、吸収部本体３０が架橋されている。つまり、吸収部本体３０の一端は、前身頃外装体１０に固定され、吸収部本体３０の他端は、後身頃外装体２０に固定されている。各外装体と吸収部本体３０の固定には、例えば、ホットメルト接着剤等が用いられる。
【００２３】
図２及び図３に示された展開状態から、前身頃外装体１０と後身頃外装体２０の幅方向両端部を接合することにより、図１に示される状態に組み上がる。図１に示されるように、前身頃外装体１０の上端縁と後身頃外装体２０の上端縁により、ウエスト開口部４が形成される。また、前身頃外装体１０と後身頃外装体２０の両端部同士が接合されることにより、装着時に着用者の脚部周りに位置するレッグ開口部５が形成される。
【００２４】
図２の平面図に示されているように、使い捨ておむつの長手方向端部領域には幅方向に延びる複数の伸縮部材４３が設けられている。なお、図２では、伸縮部材４３は点線で示されている。図２に示されるように、複数の伸縮部材４３は、使い捨ておむつの長手方向に所定間隔をあけて配置されている。ここで、使い捨ておむつの長手方向端部領域に設けられる伸縮部材４３は、ウエスト伸縮部材と呼ぶこともある。ウエスト伸縮部材は、後述するタミーカットが施されたタミー伸縮部材と区別されるものであり、前身頃外装体１０もしくは後身頃外装体２０においては、途中でカットされることなく一連の伸縮部材となっている。
【００２５】
複数の伸縮部材４３は、内側シート４１と外側シート４２に挟まれた状態で、少なくとも一部が内側シート４１及び／又は外側シート４２に固定されている。内側シート４１と外側シート４２は、複数の伸縮部材４３を挟み込み、使い捨ておむつのウエスト開口部４に沿った端縁を形成するものである。
【００２６】
複数の伸縮部材４３は、幅方向に沿って伸張した状態で、内側シート４１又はインナーシート４５と外側シート４２の間に少なくともその一部が固定される。なお、伸縮部材４３はその全部が、内側シート４１又はインナーシート４５と外側シート４２の間に固定されていてもよいが、伸縮部材４３の一部のみが内側シート４１又はインナーシート４５と外側シート４２の間に固定された状態であり、他の部分は各シートに固定された状態になくてもよい。伸縮部材４３の一部のみを固定することにより、身体の動作に合わせてウエスト領域が可動しやすくなり、着用時のフィット感を向上させることもできる。また、伸縮部材４３の一部のみを固定することにより、吸収体にヨレやシワが生じにくくなり、すっきりした印象を与え、着用させた介助者（母親等）に違和感を与えずに済む。
【００２７】
複数の伸縮部材４３が固定される際の伸張率は、例えば、１５０〜４００％とすることができ、２００〜３８０％であることが好ましく、２５０〜３６０％であることがより好ましい。なお、「伸張率」とは、非伸張状態（自由状態）の伸縮部材の長さ（原寸）を１００％としたときに、伸張状態とされた伸縮部材の長さの割合を示した値である。このように、内側シート４１と外側シート４２の間に伸張状態にある伸縮部材４３が固定されることで、伸縮部材４３が収縮したときに、内側シート４１と外側シート４２に皺（ギャザー）が形成される。
【００２８】
伸縮部材４３を、内側シート４１又はインナーシート４５と外側シート４２の間に挟み込んで固定するときには、例えば、伸縮部材４３自体に接着剤を塗布し、接着剤が塗布された伸縮部材４３を、内側シート４１又はインナーシート４５と外側シート４２の間に挟み込めばよい。この際、伸縮部材４３の一部分にのみ接着剤を塗布してもよく、このような場合は伸縮部材４３の両端部側に接着剤を塗布することが好ましい。また、内側シート４１又はインナーシート４５と外側シート４２の両方又はいずれか一方に接着剤を塗布した後、これらのシートの間に伸縮部材４３を挟み込んで固定することもできる。
【００２９】
図４に示した断面図では、内側シート４１と外側シート４２はそれぞれ別個に設けられているが、これらの内側シート４１と外側シート４２は、繋がって一体的に形成されていてもよい。すなわち、一枚のシート部材を、使い捨ておむつの長手方向の端縁において折り返し、その間に複数の伸縮部材４３を挟み込んで固定してもよい。この場合、折り返し線よりも内側に位置する部分が、内側シート４１となり、折り返し線よりも外側に位置する部分が、外側シート４２となる。このように、本発明において、内側シート４１と外側シート４２を、一枚のシート部材によって構成することも可能である。
【００３０】
伸縮部材４３としては、糸状の弾性ゴム材又は帯状の弾性ゴム材を適用することが好ましい。このようなゴム材としては、スチレン系ゴム、オレフィン系ゴム、ウレタン系ゴム、エステル系ゴム、ポリウレタン、ポリエチレン、ポリスチレン、スチレンブタジエン、シリコーン、又はポリエステル等の素材を用いることができる。
【００３１】
図４は、図２で示した展開平面図のＹ−Ｙ線における断面図である。本実施形態では、図４に示されるように、内側シート４１が、おむつの股下部３の方向へと延在している。そして、内側シート４１の一部は、吸収部本体３０の長手方向の端部の上（肌接触面）に重畳している。このように、内側シート４１の一部を吸収部本体３０に重畳させることで、吸収部本体３０と、前身頃外装体１０及び後身頃外装体２０の固定安定性を高めることができる。
【００３２】
前身頃外装体１０及び後身頃外装体２０はそれぞれ、インナーシート４５を構成部材として有していてもよい。図４に示されるように、本実施形態においては、外側シート４２は、股下部３の方向へと延在し、その一部が、吸収部本体３０の肌非接触面側に位置している。ここで、外側シート４２の延在部分の肌接触面側には、インナーシート４５が配置される。そして、外側シート４２の延在部分とインナーシート４５との間には、一又は複数本の伸縮部材４３が挟まれた状態で存在する。
なお、前身頃外装体１０及び後身頃外装体２０は、インナーシート４５を構成部材として有さなくてもよい。この場合、内側シート４１を吸収部本体３０の肌非接触面側に延在させてもよい。
【００３３】
吸収部本体３０は、前身頃外装体１０と後身頃外装体２０の間に架橋された状態で保持され、使い捨ておむつの着用時に、着用者の股下部に位置し、着用者が排泄した尿などの液体を吸収保持する。図４に示されるように、吸収部本体３０は、吸収体３１と、トップシート３２と、バックシート３３と、カバーシート３４と、一対の立体ギャザー３５を備えている。
【００３４】
吸収体３１は、尿などの液体を吸収し、吸収した液体を保持するための部材である。吸収体３１は、液透過性のトップシート３２と、液不透過性のバックシート３３の間に配置される。吸収体３１は、トップシート３２を透過した液体を吸収する機能を有し、吸収性材料により構成される。吸収体３１を構成する吸収性材料には、公知の材料を採用することができる。吸収性材料としては、例えば、フラップパルプ、高吸収性ポリマー、又は親水性シートを用いることとしてもよい。吸収体３１は、コアラップシート３６によって、被包されることが好ましい。コアラップシート３６としては、ティシュペーパー、吸収紙、親水化処理を行った不織布等を適宜用いることができる。
【００３５】
トップシート３２は、着用者の股下部の肌に直接接し、尿などの液体を吸収体３１へ透過させるための部材である。このため、トップシート３２は、柔軟性が高い液透過性材料で構成される。また、トップシート３２は、吸収体３１の肌接触面側を被覆するように配置される。トップシート３２を構成する液透過性材料の例は、織布、不織布、又は多孔性フィルムである。また、トップシート３２としては、例えばポリプロピレンやポリエチレン、ポリエステル、ナイロンのような熱可塑性樹脂の繊維を親水化処理してさらに不織布にしたものを用いることとしてもよい。
【００３６】
吸収体３１は溝部３７を有する。図４に示されるように、溝部３７は、吸収体３１にのみ形成されるものであってもよい。この場合、コアラップシート３６やトップシート３２は溝部を有していない。また、溝部３７は、吸収体３１に加えて、コアラップシート３６やトップシート３２の積層体に形成されるものであってもよい。図５は、図４における溝部３７のうち１つを拡大して示した断面図である。図５では、吸収体３１と、吸収体３１の肌接触面側に積層されるコアラップシート３６と、トップシート３２の積層体に溝部３７が形成されている。
【００３７】
バックシート３３は、トップシート３２を透過し吸収体３１に吸収された液体が、おむつの外側へ漏出することを防止するための部材である。このため、バックシート３３は、液不透過性材料によって構成される。バックシート３３は、吸収体３１の底面からの液漏れを防止するため、吸収体３１を肌非接触面側から被覆する。バックシート３３を構成する不透過性材料の例は、ポリエチレン樹脂からなる液不透過性のフィルムである。ただし、通気性を確保するために、０．１〜４μｍの微細な孔が複数形成された微多孔性ポリエチレンフィルムを用いることが好ましい。
【００３８】
カバーシート３４は、バックシート３３を補強し、かつ、その手触りを良くするための部材である。カバーシート３４は、バックシート３３の肌非接触面側に貼り合わせられる。カバーシート３４を構成する材料としては、織布や不織布が用いられる。特に、カバーシート３４を構成する材料として、ポリエチレン、ポリプロピレン、ポリエステルのような熱可塑性樹脂からなる不織布又は湿式不織布を用いることが好ましい。
【００３９】
図２に示されるように、吸収部本体３０は一対の立体ギャザー３５を備えていてもよい。一対の立体ギャザー３５は、吸収体３１の両側縁部に沿って起立し、着用者が排泄した尿の横漏れを防止するための部材である。立体ギャザー３５のそれぞれには、その先端部に、立体ギャザー伸縮材が配置されており、伸縮材が収縮した際に、着用者の肌接触方向に向かって立ち上がる。このため、一対の立体ギャザー３５は、尿の防漏壁となり、トップシート３２を透過しなかった尿や、吸収体３１により吸収しきれなった尿が、使い捨ておむつのレッグ開口部などから漏出する横漏れを防止する。立体ギャザー３５は、従来の使い捨ておむつに用いられている公知の構成を採用することができる。立体ギャザー３５は、例えば、撥水性シートの層間に伸張状態の立体ギャザー伸縮材を挟み込んで固定することにより、形成することができる。撥水性シートとしては、例えば、カードエンボスやスパンボンド等の製法により得られた不織布シートを使用することができ、特に防水性が高いＳＭＳやＳＭＭＳ等の不織布シートを用いることが好ましい。
【００４０】
図２に示されるように、前身頃外装体１０及び後身頃外装体２０にはそれぞれタミー伸縮部材４６が設けられていてもよい。タミー伸縮部材４６は、前身頃外装体１０及び後身頃外装体２０の長手方向の端部領域よりも股下部３側に配される部材である。すなわち、タミー伸縮部材４６はウエスト領域よりも股下部３側にあるタミー領域に設けられる伸縮部材である。通常は、前身頃外装体１０及び後身頃外装体２０において吸収体の長手方向端縁から前身頃外装体１０及び後身頃外装体２０のそれぞれの長手方向端縁までの領域をウエスト領域といい、その領域よりも股下部３側の領域をタミー領域という。なお、上記のように、ウエスト領域とタミー領域を区別した場合は、本発明においては、伸縮部材４３（ウエスト伸縮部材）の少なくとも１つは、タミー領域に設けられることになる。
【００４１】
本明細書では、タミー伸縮部材４６は幅方向中央部においてカット（切断）されている伸縮部材をいう。上述した伸縮部材４３は、主にウエスト領域に設けられる伸縮部材であり、このような伸縮部材４３は前身頃外装体１０及び後身頃外装体２０において幅方向に一連となっている。タミー伸縮部材４６はカットの有無において伸縮部材４３と区別される。
【００４２】
タミー伸縮部材４６のように伸縮部材をカットすることはタミーカットと呼ばれる方法である。タミー伸縮部材４６を配設する際には、伸縮部材４３と同様に、おむつの幅方向に沿った伸張状態で、外側シート４２の延在部分とインナーシート４５との間に固定される。そして、固定された後に、タミー伸縮部材４６の幅方向の中点でカットされる。このようなタミーカットを施すことにより、下腹部を締め付けすぎない構造とすることができる。なお、タミー伸縮部材４６は、タミーカットによりその一部が収縮するため、前身頃外装体１０及び後身頃外装体２０の幅方向の中央領域にはタミー伸縮部材４６が張設されていない。
【００４３】
（溝部の構成）
本発明においては、吸収体３１は溝部３７を有する。吸収体３１において、溝部３７以外の領域を平坦部と呼ぶことができる。平坦部には、溝部３７でその周囲を囲まれた領域や溝部３７でその周囲を囲まれていない領域も含まれる。ここで、「溝部」とは、一部又は全部（連続的又は間欠的）が凹部で構成されるものをいう。また、凹部は、吸収体３１の厚みが、平坦部の最大厚みよりも薄い領域を指し、凹部の厚みは、平坦部の厚みの８０％以下が好ましい。
【００４４】
図６は、吸収体３１が有する溝部３７の構成パターンの一例を説明する平面図である。図６に示されるように、溝部３７は、吸収体３１の長手方向に延びて形成されるものであることが好ましい。図６では、直線状の溝部３７が複数本設けられており、溝部３７に外周を囲われた格子状の平坦部が形成されている。また、図６では、溝部３７は吸収体３１の長手方向に連続的な凹部で形成されている。
【００４５】
図７は、図６における溝部３７の一部の拡大図である。図７（ａ）は、全部が凹部で構成される溝部３７を示しており、図７（ｂ）は一部が凹部で構成される溝部３７を示している。図７（ａ）においては、溝部３７は略均一な深さを有しており、溝部３７が形成された領域の吸収体３１の厚みは略均一である。一方、図７（ｂ）においては、溝部３７は一連の凹部３７ａから形成されている。なお、凹部３７ａを一定以下の間隔で配列することにより、凹部３７ａ近傍の吸収体３１は押し下げられて、平坦部よりもわずかに凹んだ部分となる。すなわち、図７（ｂ）においては、溝部３７は凹部３７ａと、隣り合う凹部３７ａの間の凹んだ部分から構成される。なお、図７（ｂ）では、隣り合う凹部３７ａの間が平坦部よりも凹んでいるが、凹んでいなくてもよい。
【００４６】
溝部３７は、吸収体３１において、排泄液の流路として機能する。すなわち、溝部３７は液体流路と呼ぶこともできる。吸収体３１にこのような溝部３７を設けることにより、溝部３７は毛管力を発揮することができる。ここで、毛管力とは、排泄液を溝部３７に沿って流通され得る力である。これにより、吸収体３１は排泄液を流路に沿って拡散させることができ、大量に排泄される排泄液を吸収体３１の広範な領域で素早く吸収することができる。また、吸収体３１を構成する吸収性材料の一部にのみ排泄液の吸収が偏ることなく、吸収性材料による排泄液の吸収を効率よく行うことができる。
【００４７】
溝部３７の面積は、吸収体３１の面積に対して５〜５０％であることが好ましく、５〜４５％であることがより好ましく、８〜３０％であることがさらに好ましい。また、溝部３７の幅は、１〜１０ｍｍであることが好ましく、２〜５ｍｍであることがより好ましい。溝部３７の面積や幅を上記範囲内とすることにより、吸収体３１のフィット性をより効果的に高めることができる。また、溝部３７が流路としての機能を効率よく果たすことができる。
【００４８】
吸収体３１は、溝部３７でその周囲を囲まれた平坦部と、溝部３７でその周囲を囲まれていない平坦部を有する。ここで、溝部３７でその周囲を囲まれた平坦部は、溝部３７によって外周の５０％以上を囲まれた平坦部であり、それ以外の平坦部は、溝部３７でその周囲を囲まれていない平坦部という。溝部３７によって、外周の５０％以上を囲まれた平坦部の最大内接円の直径Ｒ１は、１０〜５０ｍｍであることが好ましく、１５〜４０ｍｍであることがより好ましい。溝部３７によって外周の５０％以上を囲まれた平坦部の最大内接円は、図６において、点線の円として示されており、その円の直径は最大内接円Ｒ１として示されている。
【００４９】
また、溝部３７によって外周の５０％以上を囲まれた平坦部の最大内接円の直径Ｒ１は、溝部３７の幅の５〜２０倍であることが好ましく、６〜１２倍であることがより好ましい。外周の５０％以上を囲まれた平坦部を上記条件となるように設けることにより、吸収体３１のフィット性をより効果的に高めることができる。また、吸収体３１（吸収部本体３０）と肌との密着面積をコントロールすることができ、べたつき感やそれに伴う違和感を低減することができる。
【００５０】
図６では、吸収体３１の長手方向端部領域は、３１ａで示される領域として表されている。ここで、吸収体３１の長手方向端部領域３１ａは、吸収体３１の長手方向の端縁から、長手方向内側に向かって吸収体全長の１５％の距離までの領域をいう。すなわち、吸収体全長をＬｍｍとした場合、吸収体３１の長手方向端部領域３１ａの長手方向長さは０．１５×Ｌｍｍである。なお、本明細書では、吸収体３１の長手方向端部領域３１ａ以外の領域を中央領域と呼ぶこともある。
【００５１】
本発明においては、溝部３７の一部は吸収体３１の長手方向端部領域３１ａに存在している。図６に示されているように、溝部３７の一部は長手方向端部領域３１ａに延びている。溝部３７は、間欠的または連続的に吸収体３１の長手方向に延びて存在していることが好ましく、連続的に吸収体３１の長手方向に延びて存在していることがより好ましい。
【００５２】
なお、長手方向端部領域３１ａと、中央領域で溝部３７が占める割合（面積％）が異なっていてもよい。例えば、長手方向端部領域３１ａでは、溝部３７が占める割合（面積％）を少なくし、中央領域においてその割合を多くすることもできる。これにより、吸収体３１の剛性を効果的に緩和しつつ、排泄液の漏れをより防ぎやすくすることもできる。
【００５３】
本発明においては、前身頃１と後身頃２の両方又はいずれか一方の長手方向端部領域に設けられた、幅方向に延びる複数の伸縮部材４３は、吸収体３１の肌非接触面側から吸収体３１の長手方向端部領域３１ａの少なくとも一方に重畳している。そして、この伸縮部材４３は吸収体の長手方向端部領域に存在する溝部３７の少なくとも一部を横断している。図３は使い捨ておむつを肌非接触面側から見た状態を示している。図３では、本来視認できない吸収体３１の形状を便宜上点線で描いている。図３に示されているように、伸縮部材４３のうち１本が吸収体３１の長手方向端部領域３１ａに重畳している。なお、図３では、１本の伸縮部材４３の一部が長手方向端部領域３１ａに重畳している様子が図示されているが、重畳する伸縮部材４３は２本以上であってもよい。
【００５４】
図６では、吸収体３１の長手方向端部領域３１ａに重畳している伸縮部材４３が点線で示されている。図６に示されているように、この伸縮部材４３は吸収体の長手方向端部領域に存在する溝部３７の少なくとも一部を横断している。ここで、伸縮部材４３は、伸縮部材４３と溝部３７を平面上で重ね合わせた際に、伸縮部材４３と溝部３７がなす角のうち最小の角度が１５〜９０°となるように横断していればよい。すなわち、図６における伸縮部材４３と溝部３７がなす角のうち最小の角度が１５〜９０°であればよい。また、伸縮部材４３は、長手方向端部領域に存在する溝部３７のうち、少なく１箇所を横断していればよく、２箇所以上を横断していることが好ましく、３箇所以上を横断していることがより好ましい。
【００５５】
吸収体３１の長手方向端部領域３１ａに重畳している伸縮部材４３は、吸収体３１の長手方向端縁から長手方向内側に向かって５〜１０ｍｍまでの領域に重畳していることが好ましい。このように伸縮部材４３を所定の領域に配することにより、吸収体３１が排泄液を吸収して膨潤した場合であっても、おむつの外装体から吸収体部分が隆起することをより効果的に防ぐことができる。また、吸収体３１の長手方向端部領域３１ａに重畳している伸縮部材４３を所定の領域に配することにより、吸収体３１の中央領域についても外装体の動きに追従しやすくなるため、吸収体３１全体のフィット性をより向上させることができる。
【００５６】
伸縮部材４３は、吸収体３１の長手方向端部領域３１ａの両方に重畳していてもよいが、一方にのみ重畳していてもよい。この場合、伸縮部材４３は、前身頃１側に存在する長手方向端部領域３１ａに重畳することが好ましい。
乳児は、腹周りから股下に向かって胴回りが細くなっていく乳児特有の体型や、呼吸や食事後などの腹周りの収縮によって、吸収体と体とのすき間が生じ易い。このため、腹側において長手方向端部領域３１ａに伸縮部材４３を重畳することによって、すき間が生じることを抑制し、フィット性を向上させることが出来る。
【００５７】
図８は、複数本の溝部３７を吸収体の長軸と平行に設けた他の実施態様を示している。図８では、溝部３７は幅方向に等間隔となるように設けられている。また、図８においては、全ての溝部３７が吸収体３１の長手方向端部領域３１ａまで延びており、全ての溝部３７を伸縮部材４３が横断している。図８においては、幅方向に等間隔で設けられた溝部３７の間の領域が、外周の５０％以上を囲まれた平坦部となる。図８においても平坦部の最大内接円は点線の円として示されており、その円の直径は最大内接円Ｒ１として示されている。
【００５８】
図９は、２本の溝部３７をジグザグ型にして凸部が対向するように配置した例を示している。図９においては、２本のジグザグ型の直線状の溝部３７で囲まれた領域が外周の５０％以上を囲まれた平坦部となり、平坦部の最大内接円は図９において点線の円として示されたものとなる。
【００５９】
図１０は、楕円形の溝部３７を規則的に配列した例を示している。図１０では、溝部３７は全て楕円形を形成しているが、楕円形の一部のみを形成する溝部３７が混在していてもよい。なお、図１０においては、外周の５０％以上を囲まれた平坦部が２パターン存在している。１つ目は、溝部３７によって形成された楕円の内部に存在する。このような平坦部の最大内接円は、図１０において、点線の円のうち大きい円で示されている。そして、最大内接円の直径はＲ１として示されている。２つ目の平坦部は、楕円の外側部分であって、溝部３７によって形成された４つ楕円によってその周囲を囲われた部分である。この平坦部の最大内接円は、図１０において、点線の円のうち小さい円で示されている。そして、最大内接円の直径はＲ２として示されている。なお、このように２種類の最大内接円が存在する場合であっても、最大内接円Ｒ１及びＲ２のいずれもが上述した好適条件を満たすものであることが好ましい。
【００６０】
溝部３７は、吸収体３１の長手方向端縁まで延びてもよく、吸収体３１の長手方向端縁に達していなくてもよい。溝部３７が吸収体３１の長手方向端縁まで延びている場合は、吸収体３１と肌の間に小さな隙間が形成されることとなるため、通気性を高めることができる。一方、溝部３７が吸収体３１の長手方向端縁に達していない場合は、排泄液の漏れを効果的に抑制することができる。
【００６１】
溝部３７は、吸収体３１にのみ形成されるものであってもよく、吸収体３１と、吸収体３１の肌接触面側に積層されるコアラップシート３６と、トップシート３２の積層体に形成されるものであってもよい。溝部３７が吸収体３１にのみ形成されるものである場合、排泄液がトップシートで留まりやくなるため、吸収部３１の端部から排泄液が漏れることを抑制しやすくなる傾向がある。一方で、溝部３７が吸収体３１の肌接触面側に積層されるコアラップシート３６と、トップシート３２の積層体に形成されるものである場合、溝部３７の剛性を緩和しつつ、吸収部本体３０と肌との密着面積をコントロールすることができ、べたつき感やそれに伴う違和感を低減することができる。
【００６２】
溝部３７は、該溝部の吸収体の坪量を減らすことや、吸収体３１にエンボス加工（圧搾）を施すことで形成することができる。溝部３７の吸収体の坪量を減らす場合は、吸収体３１を構成する吸収性材料を所定形状のシート状にする工程で、フォーミングドラムが溝部３７の形状に応じた凹凸面をドラム外周に備えていることが好ましい。フォーミングドラムでは、ドラム内部に向かって吸引を行うため、ドラム外周の凹凸面に沿った溝部３７が形成された吸収体３１が得られる。その後、吸収体３１の上下面にはコアラップシート３６がそれぞれ積層される。なお、溝部３７部分の吸収体の坪量を減らす場合は、溝部の吸収体の坪量をゼロにしてもよい。
【００６３】
吸収体３１にエンボス加工（圧搾）を施すことで屈曲溝６０が形成される場合は、吸収体３１の肌対向面側、肌非対向面側、又は両面側からエンボス加工を施してもよい。エンボス加工を肌対向面側から施す場合、吸収体３１にエンボス加工を施した後にトップシート３２を積層してもよいし、吸収体３１にトップシート３２を積層した後にエンボス加工を施してもよい。エンボスロールには、溝部３７の形状に応じた凹凸が形成されており、トップシート３２側からエンボスロールを回転しながら押し当てることにより、溝部３７が形成される。なお、エンボス加工工程においては、トップシート３２と、コアラップシート３６で被包した吸収体３１の接着を同時に行ってもよい。
【００６４】
（吸収体の形状）
本発明においては、吸収体３１の長手方向端部領域の両方又はいずれか一方が幅狭領域を有していてもよい。幅狭領域とは、吸収体３１の長手方向端部領域に設けられる領域であり、吸収体の背腹最大幅よりも幅の狭い領域をいう。ここで、吸収体の背腹最大幅とは、吸収体３１が前身頃外装体１０もしくは後身頃外装体２０と重なり合う領域における吸収体３１の最大幅である。本明細書においては、吸収体３１の背腹最大幅は、吸収体３１を長手方向端部領域と端部領域以外の本体領域に分けた場合、長手方向端部領域がつらなる本体領域の長手方向端部領域側の端部の幅であると言える。
【００６５】
幅狭領域は、吸収体３１の本体領域の長手方向端部領域側の端部の幅よりも幅が狭い領域をいい、幅狭領域の最小幅が８５以下まで狭まっている領域をいう。本発明の幅狭領域を有する態様は、例えば吸収体の角が少し丸くなった態様とは区別される。
【００６６】
図１１は、吸収体３１の形状を説明する平面図である。図１１に示されるように、吸収体３１は、幅狭領域３１ｂを有する。なお、吸収体３１は、その外形が矩形状のものであってもよいし、図１１のように長手方向の中央部分がくびれた形（いわゆる砂時計型）であってもよい。なお、吸収体３１が砂時計型である場合、中央領域の幅が狭くなっているが、このような領域は、長手方向端部領域に設けられる幅狭領域とは異なる。
【００６７】
幅狭領域３１ｂの最小幅は、吸収体の背腹最大幅に対して５０〜８５％であることが好ましく、６０〜８５％であることがより好ましい。ここで、幅狭領域３１ｂの最小幅は図１１においてＰとして表されており、吸収体の背腹最大幅はＱとして表されている。本発明においては、Ｐ／Ｑの値が０．５〜０．８５であることが好ましく、０．６〜０．８５であることがより好ましく、０．７〜０．８５であることがさらに好ましい。吸収体３１に上記条件を満たす幅狭領域３１ｂを設けることにより、吸収体３１の端部領域のフィット性が高まり、これにより排泄液の漏れを防ぐことができる。また、吸収体３１に幅狭領域を設けることにより、吸収体の剛性の発現を緩和することができ、使い捨ておむつを着用した際に感じる違和感を解消することができる。
【００６８】
幅狭領域３１ｂの長手方向長さは、吸収体の長手方向長さに対して１〜２０％であることが好ましく、２〜１５％であることがより好ましく、３〜１０％であることがさらに好ましい。ここで、幅狭領域３１ｂの長手方向長さは図１１においてＳとして表されており、吸収体の長手方向長さはＲとして表されている。本発明においては、Ｓ／Ｒの値が０．０１〜０．２であることが好ましく、０．０２〜０．１５であることがより好ましく、０．０３〜０．１であることがさらに好ましい。幅狭領域３１ｂを上記条件となるように設けることにより、吸収体３１の端部領域のフィット性が高まり、排泄液の漏れを防ぐことができる。さらに、吸収体の変形や剛性に起因する着用時の違和感を解消することができる。
【００６９】
吸収体３１の長手方向長さ（Ｒ）は、吸収性物品の前身頃外装体１０の長手方向端縁から後身頃外装体２０長手方向端縁のまで長さ（吸収性物品の長手方向全長）に対して、７０〜９０％以下であることが好ましい。従来、吸収体の剛性に起因する違和感を低減するために、吸収体自体の大きさを縮小することも検討されているが、吸収体の大きさを縮小した場合、剛性は低減される傾向はあるが、排泄液の漏れが生じやすくなっていた。本発明においては、吸収体３１の長手方向長さ（Ｒ）は小さくすることなく、吸収体３１に幅狭領域を設けた点に特徴があり、このような態様は、排泄液の漏れを抑制しつつ、吸収体の変形や剛性に起因する着用時の違和感を低減させることができる。
【００７０】
なお、幅狭領域３１ｂは、吸収体３１の長手方向の上端側の幅狭領域３１ｂと下端側の幅狭領域３１ｂの両方に設けられることが好ましいが、吸収体３１の長手方向の上端側の幅狭領域３１ｂ及び下端側の幅狭領域３１ｂから選ばれるいずれか一方に設けられていてもよい。幅狭領域３１ｂがいずれか一方にのみ設けられている場合は、幅狭領域３１ｂは後身頃側に配される長手方向端部領域に設けられることが好ましい。
【００７１】
また、幅狭領域３１ｂが、吸収体３１の長手方向の上端側の幅狭領域３１ｂと下端側の幅狭領域３１ｂの両方に設けられる場合は、上端側の幅狭領域３１ｂと、下端側の幅狭領域３１ｂの形状やその大きさは同一であることが好ましいが、異なっていてもよい。例えば、後身頃側に配される長手方向端部領域の幅狭領域３１ｂの大きさを、前身頃側に配される長手方向端部領域の幅狭領域３１ｂよりも大きくしたり、反対に小さくすることもできる。また、それぞれの幅狭領域３１ｂの形状を異なる形状とすることもできる。例えば、乳幼児用のおむつにおいては、男児用と女児用で幅狭領域の形状や大きさを適宜変更することも好ましい。
【００７２】
吸収体３１の厚みは長手方向及び幅方向のいずれの方向においても略均一であってもよいが、長手方向端部領域の両方又はいずれか一方の平均厚みは、吸収体の中央領域の平均厚みよりも薄くなっていてもよい。すなわち、幅狭領域３１ｂが薄肉領域であってもよい。例えば、幅狭領域３１ｂの平均厚みを∨とし、吸収体３１の長手方向の中央領域の平均厚みをＷとした場合、∨／Ｗは、０．３〜０．９であってもよく、０．５〜０．８であってもよい。このように吸収体３１の厚みを調整することにより、着用時に感じる吸収体に起因する違和感が解消されやすくなる。一方で、吸収体３１の厚みが長手方向及び幅方向のいずれの方向においても略均一である場合は、肌と吸収体の間に隙間が生じることを防ぎやすくなり、吸収体端部のフィット性を高め、排泄液の漏れを防ぎやすくなる。
【００７３】
吸収体３１が幅狭領域３１ｂを有する場合、伸縮部材４３の少なくとも１つはその一部が吸収体３１の幅狭領域３１ｂの少なくとも一方に重畳していることが好ましい。なお、この場合、幅狭領域３１ｂに溝部３７が延在しており、幅狭領域３１ｂに存在する溝部３７の少なくとも一部を伸縮部材４３が横断している。吸収体３１の両端部に幅狭領域３１ｂが設けられている場合、伸縮部材４３は、幅狭領域３１ｂの両方又はいずれか一方に重畳していればよい。伸縮部材４３がいずれか一方の幅狭領域３１ｂにのみ重畳する場合は、前身頃１側に存在する幅狭領域３１ｂに伸縮部材４３が重畳することが好ましい。前身頃１の幅狭領域３１ａに伸縮部材４３が重畳することにより、腹部の収縮、特に食後と空腹時の違いや、座位や立位の違いに対して、吸収体端部をフィットさせることができるようになり、着用時の違和感や漏れを防ぐことができる。
【００７４】
本発明においては、伸縮部材４３の少なくとも１つを幅狭領域３１ｂに重畳させることにより、吸収体３１が排泄液を吸収して膨潤した場合であっても、おむつの外装体から吸収体部分が隆起することを防ぐことができる。これにより、排泄後であっても着用外観を良好な状態に維持することができる。また、伸縮部材４３の少なくとも１つを幅狭領域３１ｂに重畳させることにより、吸収体３１が外装体の動きにより追従しやすくなる。これにより吸収体３１のフィット性を高めることができ、排泄液の漏れをより効果的に防ぐことができる。
【００７５】
吸収体３１が幅狭領域３１ｂを有する場合、伸縮部材４３は幅狭領域３１ｂの長手方向長さの中心線付近で重畳していることが好ましい。具体的には、中心線から長手方向長さの±２０％の範囲に重畳していることが好ましく、±１０％の範囲に重畳していることがより好ましい。
以上のように、幅狭領域３１ｂに重畳している伸縮部材４３を所定の領域に配することにより、吸収体３１が排泄液を吸収して膨潤した場合であっても、おむつの外装体から吸収体部分が隆起することをより効果的に防ぐことができる。また、幅狭領域３１ｂに重畳している伸縮部材４３を所定の領域に配することにより、吸収体３１の幅狭領域以外の領域についても外装体の動きに追従しやすくなるため、吸収体３１全体のフィット性をより向上させることができる。
【００７６】
吸収体３１が幅狭領域３１ｂを有する場合、伸縮部材４３の少なくとも１つを幅狭領域３１ｂに重畳させることにより、伸縮部材４３がより少ない力で吸収体３１を押さえることができるという利点も有している。例えば、伸縮部材４３を、吸収体３１の背腹最大幅を有する領域に重畳させた場合、吸収体３１を押さえるためにより大きな力が必要となる。一方、本発明では、伸縮部材４３の少なくとも１つを幅狭領域３１ｂに重畳させることにより、吸収体３１を押さえるための力を軽減することができる。すなわち、幅狭領域３１ｂに重畳する伸縮部材４３の張力や部材自体の強度を小さくしても上述したような効果を発揮することができる。
【００７７】
本発明においては、前身頃１又は後身頃２の長手方向端部領域重畳部材の幅方向の引張強度（Ｎ／ｃｍ）をＦｅとし、該長手方向端部領域重畳部材よりも長手方向端部側に配されている伸縮領域構成部材の幅方向の引張強度（Ｎ／ｃｍ）をＦｗとした場合、Ｆｗ＞Ｆｅであることが好ましい。各領域の引張強度を、上記条件を満たす強度とすることにより、吸収体の厚み差を緩和し、自然なフィット感を得ることができる。
ここで、Ｆｅとして表される長手方向端部領域重畳部材の幅方向の引張強度（Ｎ／ｃｍ）は、前身頃１又は後身頃２において、吸収体３１の長手方向端部領域に重畳する構成部材（伸縮部材及びシート）であって、吸収部本体３０よりも肌非接触面側に位置する構成部材（伸縮部材及びシート）の幅方向の引張強度である。具体的には、図２のＥ領域で示される領域に重畳する構成部材（伸縮部材及びシート）の幅方向の引張強度である。引張強度を測定する際には、まず、使い捨ておむつのサイドシール部をはがして図２のように展開した後、外装体に設けられた伸縮部材を伸長させ、最大伸長時の長さを測定する。次に、Ｅ領域とＷ領域を切り取る。切断する際には、隣接する弾性部材間の中心線（隣接する弾性部材間の縦方向中央部）で切断し、各領域の縦方向領域幅（ｃｍ）を測定する。このサンプルを引張試験機にて２００ｍｍ／ｍｉｎの速度で伸長させ、最大伸縮時の長さの６５％の長さにおける荷重（Ｎ）を測定し、領域幅（ｃｍ）で除した単位幅あたりの強度を算出する。
また、Ｆｗとして表される伸縮領域構成部材の幅方向の引張強度（Ｎ／ｃｍ）は、吸収体の長手方向端部領域よりも長手方向端部側に配されている伸縮領域に重畳する全ての構成部材（伸縮部材及びシート）の幅方向の引張強度である。具体的には、図２のＷ領域で示される領域に重畳する構成部材（伸縮部材及びシート）の幅方向の引張強度である。伸縮領域構成部材の幅方向の引張強度の測定方法は上記と同様である。
【符号の説明】
【００７８】
１     前身頃
２     後身頃
３     股下部
４     ウエスト開口部
５     レッグ開口部
１０   前身頃外装体
２０   後身頃外装体
３０   吸収部本体
３１   吸収体
３１ａ 吸収体の長手方向端部領域
３１ｂ 幅狭領域
３２   トップシート
３３   バックシート
３４   カバーシート
３５   立体ギャザー
３６   コアラップシート
３７   溝部
３７ａ 凹部
４１   内側シート
４２   外側シート
４３   伸縮部材
４５   インナーシート
４６   タミー伸縮部材
１００ 吸収性物品
【図１】
2018082927.tif 000003
【図２】
2018082927.tif 000004
【図３】
2018082927.tif 000005
【図４】
2018082927.tif 000006
【図５】
2018082927.tif 000007
【図６】
2018082927.tif 000008
【図７】
2018082927.tif 000009
【図８】
2018082927.tif 000010
【図９】
2018082927.tif 000011
【図１０】
2018082927.tif 000012
【図１１】
2018082927.tif 000013
【手続補正書】
【提出日】平成30年1月24日(2018.1.24)
【手続補正１】
【補正対象書類名】特許請求の範囲
【補正対象項目名】全文
【補正方法】変更
【補正の内容】
【特許請求の範囲】
【請求項１】
着用者の腹部に接する前身頃と、着用者の背部に接する後身頃と、前記前身頃と前記後身頃の間に位置する股下部とに、長手方向に区分され、
前記前身頃から前記後身頃にかけて配置された吸収体と、
前記前身頃と前記後身頃の両方又はいずれか一方の長手方向端部領域に設けられた、幅方向に延びる複数の伸縮部材と、を有する吸収性物品であって、
前記吸収体の長手方向端部領域の両方又はいずれか一方は、前記吸収体の背腹最大幅よりも幅の狭い幅狭領域を有し、
前記吸収体は溝部を有し、
前記溝部の一部は前記吸収体の長手方向端部領域に存在し、
前記伸縮部材の少なくとも１つはその一部が、前記吸収体の肌非接触面側から前記吸収体の長手方向端部領域の少なくとも一方に重畳し、
前記吸収体の長手方向端部領域に重畳している伸縮部材は、前記吸収体の長手方向端部領域に存在する溝部の少なくとも一部を横断している吸収性物品。
【請求項２】
前記溝部は、間欠的または連続的に前記吸収体の長手方向に延びている請求項１に記載の吸収性物品。
【請求項３】
前記溝部の面積は、前記吸収体の面積に対して５〜５０％である請求項１又は２に記載の吸収性物品。
【請求項４】
前記幅狭領域の最小幅は、前記吸収体の背腹最大幅に対して５０〜９０％である請求項１〜３のいずれか１項に記載の吸収性物品。
【請求項５】
前記吸収体の長手方向端部領域に重畳している伸縮部材は、前記吸収体の長手方向端縁から長手方向内側に向かって５〜１０ｍｍの領域に重畳している請求項１〜４のいずれか１項に記載の吸収性物品。
【請求項６】
前記吸収体の長手方向端部領域の両方又はいずれか一方の平均厚みは、前記吸収体の中央領域の平均厚みよりも薄くなっている請求項１〜５のいずれか１項に記載の吸収性物品。
【請求項７】
前記前身頃又は前記後身頃の長手方向端部領域重畳部材の幅方向の引張強度（Ｎ／ｃｍ）をＦｅとし、前記長手方向端部領域重畳部材よりも長手方向端部側に配されている伸縮領域構成部材の幅方向の引張強度（Ｎ／ｃｍ）をＦｗとした場合、Ｆｗ＞Ｆｅである請求項１〜６のいずれか１項に記載の吸収性物品。